(57)【要約】【課題】電子機器などの仕向けを設定する際に、仕向けが多くなっても製造や管理のコストを抑えることができる仕向け判別回路と仕向け判別回路を備えた電子機器および仕向け判別方法を提供する。【解決手段】マイクロコンピュータ２のＡ／Ｄポートに可変抵抗器３を接続して、予め定めた仕向け別の電圧値と、Ａ／Ｄポートから入力された電圧値とを比較して、仕向けを判別する。そして判別した仕向けに応じて制御プログラム選択して電子回路の動作を設定する。【選択図】図２
2009146081.tif 000002
【特許請求の範囲】
【請求項１】
複数の電子部品から構成されマイクロコンピュータを備えた電子回路の仕向けを判別する仕向け判別回路であって、
第１の端子に第１の電圧が印加されるとともに第２の端子に前記第１の電圧とは異なる第２の電圧が印加される可変抵抗を備え、
前記マイクロコンピュータの外部入力端子に前記可変抵抗の中間端子を接続し、
前記マイクロコンピュータが、前記外部入力端子から入力された電圧値に基づいて前記電子回路の仕向けを判別することを特徴とする仕向け判別回路。
【請求項２】
前記外部入力端子が、Ａ／Ｄポートであることを特徴とする請求項１に記載の仕向け判別回路。
【請求項３】
複数の制御プログラムが記録された記録手段を備え、
前記マイクロコンピュータが、前記記録手段に記憶された複数の制御プログラムのうち、判別した仕向けに応じた制御プログラムで動作することにより前記電子回路の動作を設定することを特徴とする請求項１または２に記載の仕向け判別回路。
【請求項４】
請求項１乃至３のうちいずれか一項に記載の仕向け判別回路を備えた電子機器。
【請求項５】
複数の電子部品から構成されマイクロコンピュータを備えた電子回路の仕向けを判別する仕向け判別方法であって、
第１の端子に第１の電圧が印加されるとともに第２の端子に前記第１の電圧と異なる第２の電圧が印加された可変抵抗の中間端子を前記マイクロコンピュータの外部入力端子に接続し、前記マイクロコンピュータが、前記外部入力端子から入力された電圧値に基づいて前記電子回路の仕向けを判別することを特徴とする仕向け判別方法。
【発明の詳細な説明】
【技術分野】
【０００１】
本発明は、電子機器などを別々の設定を行うために複数の仕向けを判別する仕向け判別回路、電子機器および仕向け判別方法に関する。
【背景技術】
【０００２】
車載機器や家電機器などの電子機器は、使用する国や地域などによってラジオの周波数や言語など様々な設定が異なることがある。従って、製造時に国や地域ごとに合った設定を行って出荷している。また、仕様の異なる製品群においても、同一回路を使用している場合もあり、このような場合も、仕様を判別するためだけに異なる部品を実装し個別の管理を行っている。
【０００３】
従来は、上述したような国や地域および仕様の違いといった仕向けの判別は、図１に示すような回路を用いて判別していた。図１はマイクコロンピュータ１０のＩ／ＯポートにＨｉまたはＬｏｗレベルの信号を入力してそのＨｉ／Ｌｏｗ信号の組み合わせによって仕向けを判別する。
【０００４】
また、図１の他に仕向けの判別を行う回路として、特許文献１に記載の操作スイッチ識別回路が提案されている。特許文献１に記載の操作スイッチ識別回路は、仕向けを判別するために複数の抵抗をスイッチで切り替えてＣＰＵのＡ／Ｄ端子に入力し、Ａ／Ｄ端子が検出した電圧に基づいて該当する仕向けの判別、設定を行っていた。
【特許文献１】特開２０００−１８１６０９号公報
【発明の開示】
【発明が解決しようとする課題】
【０００５】
しかしながら、図１の方法では、ＨｉまたはＬｏｗレベルの信号を生成するために抵抗を用いていることが多いので仕向けが多くなると使用するＩ／Ｏポートが増加するとともに抵抗などのマイクロコンピュータ１０の外部に付加する部品も増加してしまう。
【０００６】
また、図１の方法では、仕向けごとに回路が異なるために、一つの製品で複数種の基板を製造する必要があるために製造や管理のコストが上昇してしまうという問題や、修理用の部品として当該電子回路が搭載された基板等を保管する場合も、仕向けごとに複数の基板を保管しなければならず、在庫やその管理などのコストが上昇してしまうという問題があった。
【０００７】
また、特許文献１に記載のような操作スイッチ識別回路においても、仕向けの数だけ抵抗が必要となるために仕向けの数が多くなればなるほど抵抗やスイッチの数が増加したり、後に仕向けが増加した場合は回路変更が必要となってしまうという問題があった。
【０００８】
そこで、本発明は、仕向けが多くなっても製造や管理のコストを抑えることができる仕向け判別回路と仕向け判別回路を備えた電子機器および仕向け判別方法を提供することを課題とする。
【課題を解決するための手段】
【０００９】
上記課題を解決するために、請求項１に記載の仕向け判別回路は、複数の電子部品から構成されマイクロコンピュータを備えた電子回路の仕向けを判別する仕向け判別回路であって、第１の端子に第１の電圧が印加されるとともに第２の端子に前記第１の電圧とは異なる第２の電圧が印加される可変抵抗を備え、前記マイクロコンピュータの外部入力端子に前記可変抵抗の中間端子を接続し、前記マイクロコンピュータが、前記外部入力端子から入力された電圧値に基づいて前記電子回路の仕向けを判別することを特徴としている。
【００１０】
請求項５に記載の仕向け設定方法は、複数の電子部品から構成されマイクロコンピュータを備えた電子回路の仕向けを判別する仕向け判別方法であって、第１の端子に第１の電圧が印加されるとともに第２の端子に前記第１の電圧と異なる第２の電圧が印加された可変抵抗の中間端子を前記マイクロコンピュータの外部入力端子に接続し、前記マイクロコンピュータが、前記外部入力端子から入力された電圧値に基づいて前記電子回路の仕向けを判別することを特徴としている。
【発明を実施するための最良の形態】
【００１１】
以下、本発明の一実施形態にかかる仕向け判別回路を説明する。本発明の一実施形態にかかる仕向け判別回路は、マイクロコンピュータの外部入力端子に可変抵抗の中間端子を接続し、その外部入力端子から入力された電圧値に基づいて仕向けを判別しているので、可変抵抗の抵抗値によって仕向けを判別することができ、仕向けが多くなっても１つの可変抵抗で容易に設定することができる。また、仕向けごとに回路が異なることが無く１つの回路で対応できるために製造や管理の低コスト化を図ることができる。
【００１２】
また、外部入力端子が、Ａ／Ｄポートとしてもよい。このようにすることにより、入力電圧値というアナログ値をＡ／Ｄポートで変換してデジタル値として仕向けを判別することができるので、より多数の仕向けを設定することができる。
【００１３】
また、複数の制御プログラムが記録された記録手段を備え、マイクロコンピュータが、記録手段の複数の制御プログラムのうち、判別した仕向けに応じた制御プログラムで動作することにより電子回路の動作を設定してもよい。このようにすることにより、仕向け向けに複数の制御プログラムを用意しておき、判別した仕向けに応じてその仕向けに合った制御プログラムを実行することができるので、１つの回路で複数の仕向けに対応することができるとともに、制御プログラムを追加することで仕向けの増加にも対応することができる。
【００１４】
また、電子機器に請求項１乃至３のうちいずれか一項に記載の仕向け判別回路を備えてもよい。このようにすることにより、電子機器の仕向け判別や設定の低コスト化を図ることができる。
【００１５】
本発明の一実施形態にかかる仕向け設定方法は、マイクロコンピュータの外部入力端子に可変抵抗の中間端子を接続し、その外部入力端子から入力された電圧値に基づいて仕向けを判別して動作を設定しているので、可変抵抗の抵抗値によって仕向けを判別することができ、仕向けが多くなっても１つの可変抵抗で容易に設定することができる。また、仕向けごとに回路が異なることが無く１つの回路で対応できるために製造や管理の低コスト化を図ることができる。
【実施例】
【００１６】
本発明の一実施例にかかる仕向け判別回路１を図２乃至図４を参照して説明する。仕向け判別回路１は、該仕向け判別回路１が含まれる電子回路、基板、電子機器などの仕向けを判別し、判別した仕向けに応じた設定を行う回路であり、図２に示すようにマイクロコンピュータ２と、可変抵抗器３と、を備えている。また、仕向け判別回路１は図示しない基板上に設けられており、該基板上にはマイクロコンピュータ２によって制御される複数の電子部品から構成される図示しない電子回路が設けられている。
【００１７】
マイクロコンピュータ２は、ＣＰＵ（Central Processing Unit）やＲＯＭ（Read Only Memory）、ＲＡＭ（Random Access Memory）などのメモリを内蔵し、外部入力端子としてＡ／Ｄポートを備えた１チップのＩＣ（Integrated Circuit）である。マイクロコンピュータ２は、Ａ／Ｄポートから入力された電圧値をデジタル値に変換して、そのデジタル値を内蔵のＲＯＭに記録された仕向けごとの電圧値と比較して仕向けを判別する。そして、判別された仕向けに応じた制御プログラムを内蔵ＲＯＭから読み出して電子回路の設定や制御を行う。なお、ＲＯＭやＲＡＭは外付けでもよい。
【００１８】
可変抵抗としての可変抵抗器３は、第１の電圧としての電源電圧Ｖｃｃに接続された第１の端子３ａと、第２の電圧としての接地電位に接続された第２の端子３ｂと、中間端子３ｃとを備え、中間端子３ｃはマイクロコンピュータ２のＡ／Ｄポートに接続されている。なお、本実施例では、第１の端子３ａにＶｃｃを、第２の端子３ｂに接地電位を接続しているが、これに限らず、可変抵抗器３の両端である第１の端子３ａと第２の端子３ｂとの間に電位差を生じるような電圧であればよい。
【００１９】
また、本発明における可変抵抗は、中間端子を備え、その中間端子における抵抗値が調整可能な抵抗器あるいは抵抗素子であればよく、所謂半固定抵抗器（ポテンショメータ、トリマなど）も含む。
【００２０】
次に、上述した構成の仕向け判別回路１において仕向けを判別する際の動作を図３のフローチャートを参照して説明する。図３に示したフローチャートはマイクロコンピュータ２のＣＰＵで実行される。
【００２１】
まず、ステップＳ１において、電源ＯＮ後、マイクロコンピュータ２のＡ／Ｄポートにて可変抵抗器３の電圧値Ｖａｄを読み込みステップＳ２に進む。
【００２２】
次に、ステップＳ２において、マイクロコンピュータ２内のＲＯＭに記録されている各仕向けの電圧プリセット値と可変抵抗器３の電圧値Ｖａｄとを比較してステップＳ３に進む。
【００２３】
次に、ステップＳ３において、可変抵抗器３の電圧値Ｖａｄがプリセット値Ｖ１以上プリセット値Ｖ２未満であるか否かを判断し、プリセット値Ｖ１以上プリセット値Ｖ２未満である場合（Ｙの場合）はステップＳ３´に進み、そうで無い場合（Ｎの場合）はステップＳ４に進む。すなわち、マイクロコンピュータ２が、Ａ／Ｄポートから入力された電圧値に基づいて電子回路の仕向けを判別している。
【００２４】
次に、ステップＳ３´において、可変抵抗器３の電圧値Ｖａｄがプリセット値Ｖ１以上プリセット値Ｖ２未満であったので仕向け１と判別し、記録手段としてのＲＯＭに記録されている仕向け１対応の制御プログラムにより動作し電子回路の設定を行う。
【００２５】
ステップＳ４においては、可変抵抗器３の電圧値Ｖａｄがプリセット値Ｖ２以上プリセット値Ｖ３未満であるか否かを判断し、プリセット値Ｖ２以上プリセット値Ｖ３未満である場合（Ｙの場合）はステップＳ４´に進み、そうで無い場合（Ｎの場合）はステップＳ（ｎ＋２）に進む。つまり、仕向けの数に応じてプリセット電圧値を設定してステップＳ３やＳ４のような判断を行い、可変抵抗器３の電圧値Ｖａｄがどのプリセット電圧値の範囲であるかを判断して仕向けを判別している。
【００２６】
次に、ステップＳ４´において、可変抵抗器３の電圧値Ｖａｄがプリセット値Ｖ２以上プリセット値Ｖ３未満であったので仕向け２と判別し、記録手段としてのＲＯＭに記録されている仕向け２対応の制御プログラムにより動作し電子回路の設定を行う。
【００２７】
ステップＳ（ｎ＋２）においては、可変抵抗器３の電圧値Ｖａｄがプリセット値Ｖｎ以上プリセット値Ｖ（ｎ＋１）未満であるか否かを判断し、プリセット値Ｖｎ以上プリセット値Ｖ（ｎ＋１）未満である場合（Ｙの場合）はステップＳ（ｎ＋２）´に進む。
【００２８】
次に、ステップＳ（ｎ＋２）´において、可変抵抗器３の電圧値Ｖａｄがプリセット値Ｖｎ以上プリセット値Ｖ（ｎ＋１）未満であったので仕向けｎと判別し、記録手段としてのＲＯＭに記録されている仕向けｎ対応の制御プログラムにより動作し電子回路の設定を行う。
【００２９】
次に、上述した構成の仕向け判別回路１を備えた基板や電子機器の生産工程における仕向けの設定方法を図４のフローチャートを参照して説明する。
【００３０】
まず、ステップＳ１１において、仕向け判別回路１を備えた基板や電子機器（ユニット）を生産して一括管理し、ステップＳ１２に進む。
【００３１】
次に、ステップＳ１２において、顧客からの受注を受けステップＳ１３に進む。
【００３２】
次に、ステップＳ１３において、ステップＳ１２で受注した製品が仕向け１であるか否かを判定し、仕向け１であった場合（Ｙの場合）はステップＳ１３´に進み、そうで無い場合（Ｎの場合）はステップＳ１４に進む。
【００３３】
次に、ステップＳ１３´において、仕向け１用に可変抵抗器３を調整し、ステップＳ１３´´に進む。この調整は作業員などが行ってもよいし、ロボットなどに行わせてもよい。
【００３４】
次に、ステップＳ１３´´において、仕向け１用の製品として出荷する。
【００３５】
ステップＳ１４においては、ステップＳ１２で受注した製品が仕向け２であるか否かを判定し、仕向け２であった場合（Ｙの場合）はステップＳ１４´に進み、そうで無い場合（Ｎの場合）はステップＳ１（ｎ＋２）に進む。つまり、仕向けの数に応じて判断を行って、可変抵抗器３の調整を行っている。
【００３６】
次に、ステップＳ１４´において、仕向け２用に可変抵抗器３を調整し、ステップＳ１４´´に進む。この調整は作業員などが行ってもよいし、ロボットなどに行わせてもよい。
【００３７】
次に、ステップＳ１４´´において、仕向け２用の製品として出荷する。
【００３８】
ステップＳ１（ｎ＋２）においては、ステップＳ１２で受注した製品が仕向けｎであるか否かを判定し、仕向けｎであった場合（Ｙの場合）はステップＳ１（ｎ＋２）´に進む。
【００３９】
次に、ステップＳ１（ｎ＋２）´において、仕向けｎ用に可変抵抗器３を調整し、ステップＳ１（ｎ＋２）´´に進む。この調整は作業員などが行ってもよいし、ロボットなどに行わせてもよい。
【００４０】
次に、ステップＳ１（ｎ＋２）´´において、仕向けｎ用の製品として出荷する。
【００４１】
本実施例によれば、マイクロコンピュータ２のＡ／Ｄポートに可変抵抗器３を接続して、予め定めた仕向けごとの電圧値と、Ａ／Ｄポートから入力された可変抵抗器３の電圧値Ｖａｄとを比較して、仕向けを判別しているので、可変抵抗器３の抵抗値によって仕向けを判別することができ、仕向けが多くなっても１つの可変抵抗器３で容易に設定することができる。また、仕向けごとに回路が異なることが無く１つの回路で対応できるために製造や管理の低コスト化を図ることができる。
【００４２】
また、可変抵抗器３を調整して仕向けを設定しているので、仕向けの設定が容易であり、例えば、現在の仕向けと異なる設定となる地域に持ち込んでも、基板交換などが不要となり、サービスマンなどにより容易に仕向けの変更を行うことができる。
【００４３】
また、マイクロコンピュータ２の制御プログラムを仕向けごとに複数ＲＯＭに記録し、判別した仕向けに応じて制御プログラム選択して電子回路の動作を設定しているので、１つの回路で複数の仕向けに対応することができるとともに、制御プログラムを追加することで仕向けの増加にも対応することができる。
【００４４】
なお、上述した実施例では仕向けを判別するための電圧値や、仕向け別の設定を行う制御プログラムなどはマイクロコンピュータ２のＲＯＭに予め記録されていたが、フラッシュメモリなどの書き換え可能な不揮発性のメモリに記録してもよい。このようにすることによって、仕向けの追加や変更などに容易に対応することができる。
【００４５】
また、上述した実施例ではマイクロコンピュータのＡ／Ｄポートに可変抵抗器３の中間端子を接続していたが、仕向けが２つである場合は、従来用いていたＩ／Ｏポートなどの入力電圧がデジタル値として認識される入力端子を用いてもよい。
【００４６】
前述した実施例によれば、以下の仕向け判別回路１および仕向け判別方法が得られる。
【００４７】
（付記１）複数の電子部品から構成されマイクロコンピュータ２を備えた電子回路の仕向けを設定する仕向け判別回路１であって、
第１の端子３ａにＶｃｃが印加されるとともに第２の端子３ｂが接地電位に接続された可変抵抗器３を備え、
マイクロコンピュータ２のＡ／Ｄポートに可変抵抗器３の中間端子３ｃを接続し、
マイクロコンピュータ２が、Ａ／Ｄポートから入力された電圧値に基づいて電子回路の仕向けを判別することを特徴とする仕向け判別回路１。
【００４８】
この仕向け判別回路１によれば、可変抵抗器３の抵抗値によって仕向けを判別することができ、仕向けが多くなっても１つの可変抵抗器３で容易に設定することができる。また、仕向けごとに回路が異なることが無く１つの回路で対応できるために製造や管理の低コスト化を図ることができる。
【００４９】
（付記２）複数の電子部品から構成されマイクロコンピュータ２を備えた電子回路の仕向けを設定する仕向け判別方法であって、
第１の端子３ａにＶｃｃが印加されるとともに第２の端子３ｂが接地電位に接続された可変抵抗器３の中間端子３ｃをマイクロコンピュータ２のＡ／Ｄポートに接続し、マイクロコンピュータ２が、Ａ／Ｄポートから入力された電圧値に基づいて電子回路の仕向けを判別することを特徴とする仕向け判別方法。
【００５０】
この仕向け設定方法によれば、可変抵抗器３の抵抗値によって仕向けを判別することができ、仕向けが多くなっても１つの可変抵抗器３で容易に設定することができる。また、仕向けごとに回路が異なることが無く１つの回路で対応できるために製造や管理の低コスト化を図ることができる。
【００５１】
なお、前述した実施例は本発明の代表的な形態を示したに過ぎず、本発明は、実施例に限定されるものではない。すなわち、本発明の骨子を逸脱しない範囲で種々変形して実施することができる。
【図面の簡単な説明】
【００５２】
【図１】従来の仕向け判別回路の回路図である。
【図２】本発明の一実施例にかかる仕向け判別回路の回路図である。
【図３】図１に示された仕向け判別回路の仕向け判別を示すフローチャートである。
【図４】図１に示された仕向け判別回路が設けられた基板や電子機器の生産工程における仕向けの設定方法を示すフローチャートである。
【符号の説明】
【００５３】
１        仕向け判別回路
２        マイクロコンピュータ
３        可変抵抗器
３ａ      第１の端子
３ｂ      第２の端子
３ｃ      中間端子
【図１】
2009146081.tif 000003
【図２】
2009146081.tif 000004
【図３】
2009146081.tif 000005
【図４】
2009146081.tif 000006